(57)【要約】【課題】丸ケーブルにおいてもＦＴＴＨ用ドロップケーブルと同じ位置に、安全離隔距離を確保したままの状態で添架することができ、これによって配電改修工事を回避することが可能となり、また、既設の配電バンドを丸ケーブルの添架用金具として利用することで、材料コストの削減、工期短縮の実現等を可能にしたスライド式安全離隔確保装柱工法とその装置を提供する。【解決手段】本発明は、通信線を固定するスライド式安全離隔確保装柱工法であって、電柱に取り付けられたバンドを介して上下にスライド可能な縦型支持アームを下方にスライドさせて充電部分との安全離隔を確保した状態で通信線を固定する工程と、縦型支持アームを上方の保安用添架ポイントへスライドさせて縦型支持アームをバンドに固定する工程とから成る。【選択図】図１
2007330014.tif 000002
【特許請求の範囲】
【請求項１】
通信線を固定するスライド式安全離隔確保装柱工法であって、電柱に取り付けられたバンドを介して上下にスライド可能な縦型支持アームを下方にスライドさせて充電部分との安全離隔を確保した状態で通信線を固定する工程と、縦型支持アームを上方の保安用添架ポイントへスライドさせて縦型支持アームをバンドに固定する工程とから成ることを特徴としたスライド式安全離隔確保装柱工法。
【請求項２】
通信線を固定するスライド式安全離隔確保装柱装置であって、電柱に取り付けられたバンドと、バンドを介して上下にスライド可能に装着された縦型支持アームとから成り、縦型支持アームは、下方にスライドして充電部分との安全離隔を確保した状態において、留め金具を介して通信線を固定し、上方の保安用添架ポイントへスライドしてバンドに固定可能であることを特徴とするスライド式安全離隔確保装柱装置。
【請求項３】
縦型支持アームは、２条持出金具を回避すべく、バンドに対して横出しする構造とした請求項２に記載のスライド式安全離隔確保装柱装置。
【請求項４】
縦型支持アームは、アームタイより外側に突出させて成る請求項２または３に記載のスライド式安全離隔確保装柱装置。
【請求項５】
既存共架柱に既存の配電バンドを使用する場合は、バンドを上部バンドと下部バンドの２連に構成した請求項２乃至４のいずれかに記載のスライド式安全離隔確保装柱装置。
【請求項６】
縦型支持アームは、バンドに備え付けられたブラケットを介して上下にスライドし、縦型支持アームを所定の位置に上下移動させた状態で、ブラケットに固定可能である請求項２乃至５のいずれかに記載のスライド式安全離隔確保装柱装置。
【請求項７】
縦型支持アームの上端に、バンドに係止させるストッパー部を備えた請求項２乃至５のいずれかに記載のスライド式安全離隔確保装柱装置。
【発明の詳細な説明】
【技術分野】
【０００１】
本発明は、労働安全衛生規則で定める高圧活線近接作業規制範囲内に入らずに、安全を確保したまま電柱上に通信線を添架できるスライド式安全離隔確保装柱工法とその装置に関するものである。
【背景技術】
【０００２】
近年において、例えば、ＦＴＴＨ、心線貸し事業等の電気通信事業の展開に伴う付帯事業の拡大により、光ケーブルの新設工事が増大している。そのため、それに関連した配電設備改修工事も多発している。
【０００３】
このとき、図１０（ａ）に示すように、電柱丈尺が１５ｍ以上の場合、変圧器が施設されている状態でも、十分な共架スペースが確保可能であるため、配電設備改修工事の必要はない。
【０００４】
ところが、図１０（ｂ）に示すように、電柱丈尺が１４ｍ以下の電柱の場合、保安通信ポイント７ｍにおける高圧充電部と共架通信線との鉛直離隔距離が６０ｃｍ未満となり、しかも、他社線との離隔がとれないため、現行距離基準で保安通信ポイントを使用するには、例えば、ハイアップ工法（ヒューズ取付位置の繰上）あるいは変台繰上といった配電設備改修工事が必要となる。
【０００５】
これに対し、ＦＴＴＨ用ドロップケーブルは、近年において、社内の離隔基準の見直しにより、条件付きで直線距離６０ｃｍでの設置が可能となっている。
【０００６】
また、図１０（ｃ）に示すように、労働安全衛生規則で定める高圧活線近接作業の制限範囲については、頭上距離が３０ｃｍ以内、躯側距離もしくは足下距離が６０ｃｍ以内である場合は、絶縁用防具を装着するよう義務づけられている。
【０００７】
一方、図１１（ａ）に示すように、ＦＴＴＨ用ドロップケーブルについては、これが細径且つ軽量であるため、作業員の頭上近辺における作業が可能である。また、作業範囲が狭いことから、安全離隔範囲外で作業が可能となる。
【０００８】
このＦＴＴＨ用ドロップケーブルの具体的な構成は、約２ｍｍ〜３．３ｍｍ程度の太径の支持線と本体ケーブルとがシースによって被覆されており、この本体ケーブルは、複数の光ファイバ素線の上下両側を、テンションメンバでシースを介して支持された構造となっている。
【０００９】
しかし、保安通信線（以下、丸ケーブルと称す）の架線時は、重い丸ケーブルを柱上で引っ張る作業が発生することから、作業員の頭上近辺で作業することが不可能である。具体的には、図１１（ｂ）に示すように、力の入る作業員の胸近辺における作業となるため、作業員が安全離隔範囲に入り込む可能性がある。尚、安全離隔を確保できれば、設備上の離隔は直線距離でも問題はない。
【００１０】
この、丸ケーブルは、円柱状のスロットロッドを、例えば、難燃性を有するポリエチレンシースによって被覆された、直径約１４ｍｍ〜３０ｍｍ程度に形成された光ケーブルである。このスロットロッドの中心部にはテンションメンバが内装され、その周囲等間隔位置には、例えば、４心のテープ心線が付設された構造となっている。
【特許文献１】特になし
【発明の開示】
【発明が解決しようとする課題】
【００１１】
しかしながら、丸ケーブルの新設工事においては、図１０（ｃ）に示すように、電柱丈尺が高さ１４ｍの場合、安全通信線の添架ポイントである地上高７ｍが変台アームタイの内部に作業員の頭部が入り込み、高圧充電部との安全離隔が確保できない状況にあることに変わりがないため、前記したように変台繰上やハイアップ工法（ヒューズ取付位置の繰上）といった配電設備改修工事が必要となる。
【００１２】
さらに、図１１（ｂ）に示すように、１４ｍ共架柱に添架する場合、丸ケーブルであると作業時に作業員の頭部が安全離隔距離に入り込むことになり、規定の添架ポイントに固定できないという問題点を有していた。
【００１３】
そこで、本発明は如上のような従来存した諸事情に鑑み創出されたもので、丸ケーブルにおいてもＦＴＴＨ用ドロップケーブルと同じ位置に、安全離隔距離を確保したままの状態で添架することができ、これによって配電設備改修工事を回避することが可能となり、また、既設のバンドを丸ケーブルの添架用金具として利用することで、材料コストの削減、ならびに、工期短縮の実現等を可能にしたスライド式安全離隔確保装柱工法とその装置を提供することを目的とする。
【課題を解決するための手段】
【００１４】
本発明は、通信線を固定するスライド式安全離隔確保装柱工法であって、電柱に取り付けられたバンドを介して上下にスライド可能な縦型支持アームを下方にスライドさせて充電部分との安全離隔を確保した状態で通信線を固定する工程と、縦型支持アームを上方の保安用添架ポイントへスライドさせて縦型支持アームをバンドに固定する工程とから成ることで、上述した課題を解決した。
【００１５】
また、本発明は、通信線を固定するスライド式安全離隔確保装柱装置であって、電柱に取り付けられたバンドと、バンドを介して上下にスライド可能に装着された縦型支持アームとから成り、縦型支持アームは、下方にスライドして充電部分との安全離隔を確保した状態において、留め金具を介して通信線を固定し、上方の保安用添架ポイントへスライドしてバンドに固定可能であることで、同じく上述した課題を解決した。
【００１６】
さらに、縦型支持アームは、２条持出金具を回避すべく、バンドに対して横出しする構造としたことで、同じく上述した課題を解決した。
【００１７】
また、縦型支持アームは、アームタイより外側に突出させて成ることで、同じく上述した課題を解決した。
【００１８】
加えて、既存共架柱に既存の配電バンドを使用する場合は、バンドを上部バンドと下部バンドの２連に構成したことで、同じく上述した課題を解決した。
【００１９】
また、縦型支持アームは、バンドに備え付けられたブラケットを介して上下にスライドし、縦型支持アームを所定の位置に上下移動させた状態で、ブラケットに固定可能であることで、同じく上述した課題を解決した。
【００２０】
この他、縦型支持アームの上端に、バンドに係止させるストッパー部を備えたことで、同じく上述した課題を解決した。
【発明の効果】
【００２１】
本発明によれば、丸ケーブルにおいてもＦＴＴＨ用ドロップケーブルと同じ位置に、安全離隔距離を確保したままの状態で添架することができ、これによって配電設備改修工事を回避して、改修費用と工期短縮の実現等を可能にした。また、既設の配電バンドを丸ケーブルの添架用金具として利用する場合は、材料コストの削減を可能にした。
【発明を実施するための最良の形態】
【００２２】
以下に、本発明を実施するための最良の形態を、図面を参照して説明する。
【００２３】
本発明に係るスライド式安全離隔確保装柱装置は、図１・図２に示すように、電柱Ｐに締結固定されるバンド２と、上下にスライド可能となるようにバンド２に装着された縦型支持アーム３を供えた装置本体１により概ね構成されている。
【００２４】
このバンド２は、図２に示すように、コ字枠状の支持部４の両側において、帯板２ａ，２ａを、ヒンジ部５を介して回動自在に取り付けている。また、それぞれの帯板２ａ，２ａの先端部分には、ボルト６とナット７により帯板２ｂ，２ｂを取り付けている。
【００２５】
そして、帯板２ａ，２ｂにより、全体で略半円弧状を成している。また、帯板２ａ，２ｂと帯板２ａ，２ｂは、互いに向かい合うように配置されている。さらに、帯板２ｂ，２ｂの先端部分は、互いに平行となるように折曲し、ボルト６０とナット７０により固定可能になっている
【００２６】
電柱Ｐへのバンド２の取り付けに際し、両帯板２ａ，２ｂは、ボルト６０とナット７０を外して支持部４を介して互いに開放させた状態にしておき、電柱Ｐを抱き込むように互いに閉塞してから、帯板２ｂ，２ｂの先端部分同士を、再度、ボルト６０とナット７０で締め付けることで、バンド２が電柱Ｐにしっかりと固定されるのである。
【００２７】
また、この帯板２ａ，２ｂは、その接合部分において互いに分離可能であり、それぞれの長手方向に沿って等間隔に複数の孔８が設けられている。そして、この分離した箇所同士を重ね合わせた状態で適当な長さとなるようにスライドさせ、互いに合致した孔８同士にボルト６を挿入し、反対側からナット７で締め付けて固定することで、電柱Ｐにおける異なる太さに適宜対応できるようにしている。
【００２８】
縦型支持アーム３は、図１に示すように、バンド２の円形中心線上から横方にずれた状態となるように、支持部４に取り付けられている。具体的には、支持部４の前面片側に固定された縦型角筒状のブラケット９に、所定の長さのアーム体３０が、上下方向にスライドできるように挿通されている。  
【００２９】
また、図１・図３に示すように、アーム体３０の上端には、アーム体３０自身がブラケット９の下方側に抜け落ちることを防止するため、幅広な板片であるストッパー部１０が設けられている。
【００３０】
さらに、アーム体３０の下端には、通信線用のメッセンジャーワイヤーを取り付けるために、略Ｌ字形状の留め金具１１を固着している。
【００３１】
この留め金具１１は、図３に示すように、ブラケット９を介してアーム体３０を上方へスライドさせたときに、ブラケット９前方の下側に凹設された溝部９ａに係合するようになっている。
【００３２】
また、ブラケット９の前面位置には、ボルト差込孔１２ａが設けられている。さらに、ブラケット９の左右両面側には、ボルト差込孔１２ｂが設けられている。
【００３３】
そして、アーム体３０の留め金具１１の位置近傍における前後位置に、ボルト差込孔３０ａが設けられている。また、アーム体３０の留め金具１１の位置近傍における左右の対向位置にも、ボルト差込孔３０ｂが設けられている。このアーム体３０は、図３に示すように、ブラケット９を介して上方へスライドさせた際には、ボルト差込孔１２ａ，３０ａ同士が合致するため、一端側からボルト６を挿入し、反対側からナット７で締付けて固定する。また、ボルト差込孔１２ｂ，３０ｂ同士も合致するため、一端側からボルト６を挿入し、反対側からナット７で締付けて固定する。この様にして、上方にスライドさせたアーム体３０を、ブラケット９に固定するのである。
【００３４】
アーム体３０の留め金具１１は、図３・図４に示すように、方形状の板片の長手方向の両端部を若干下向きに湾曲させ、板片の全体を略Ｌ字状に屈曲させている。また、留め金具１１の水平部分の先端部を、上方に向けて屈曲させている。この屈曲した先端部には、中央部分に長目の溝部を形成している。この溝部に、Ｌ字状のボルトとナットから成る治具を取り付けることで、メッセンジャーワイヤーを掛け留めするための掛架部が形成されている。
【００３５】
この掛架部において、Ｌ字状のボルトとナットから成る治具は、取り付け・取り外しが自在となっている。例えば、Ｌ字状のボルトに配置したワッシャとボルトにより、留め金具１１の溝部を挟み込み、この状態でボルトを締め付けることで、治具を簡単に取り付けることができる。
【００３６】
図５乃至図７には、本発明における他の実施例が示されている。
【００３７】
具体的には、前記支持部４のコ字形開口部分を前側にし、この中央に配置した突出部２０を介して、前記ブラケット９が固定されている。このとき、バンド２の円形中心線上に、縦型支持アーム３が位置している。尚、その他の構成は、図１乃至図４に示した実施の形態と略同様である。
【００３８】
次に、以上のように構成された本発明について、使用・組立の一例を説明する。尚、バンド２は電柱Ｐに予め取り付けられていることを前提とする。
【００３９】
まず、図１・図９（ａ）に示すように、ブラケット９を介して、アーム体３０を下方向にスライドさせ、留め金具１１にメッセンジャーワイヤーを固定する。このとき、アーム体３０の留め金具１１自体は、高圧充電部分との安全離隔が確保された６．７ｍポイント位置にある。
【００４０】
そして、図３および図９（ｂ）に示すように、ブラケット９を介して、アーム体３０を、上方の保安用添架ポイントである７ｍポイントへスライドさせる。
【００４１】
その後、互いに合致したボルト差込孔１２ａ，３０ａ、ボルト差込孔１２ｂ，３０ｂにボルト６を挿入し、反対側からナット７で締め付けることで、上方にスライドしたアーム体３０がブラケット９に固定される。
【００４２】
また、図８には、既存の配電バンド１６を利用する本発明の他の実施例が示されている。尚、上記した実施の形態における構成と略同じ部分には、同じ符号を付すことで、その詳細な説明を省略する。
【００４３】
本実施例において、縦型支持アーム３は、２条持出金具を回避すべく、配電バンド１６に対して横出し状態に取り付けている。また、縦型支持アーム３は、アームタイより前側に突出させている。
【００４４】
この配電バンド１６は、バンド強度を重視すべく、上部バンドと下部バンドとの２連に構成し、これら上部バンド、下部バンドは、共に配電部が使用しているバンドとする。また、上部バンドは、足場ステップ１５を流用できる構造としている。
【００４５】
すなわち、図８に示すように、配電バンド１６は、上部バンドと下部バンドのいずれも、略半円弧状を成す前後一対の帯板１６ａ，１６ｂを互いに対向させた状態とし、電柱Ｐを帯板１６ａ，１６ｂにより挟み込んでから、その両端同士をボルト６０とナット７０により締め付けて固定するようにしている。
【００４６】
また、前側に位置する帯板２ａの中央には、略コ字枠状の支持部４が、コ字開口側を前方に向けて装着されている。また、このコ字開口側に横方向から横型角筒状のブラケット９を挿入し、ボルト６とナット７により締め付けて固定している。
【００４７】
そして、ブラケット９の一端側に取り付けられたコ字枠状の縦枠部１３に、アーム体３０が挟み込まれている。また、アーム体３０の上端部に、留め金具１１を前方に向けて取り付けている。この留め金具１１は、高圧部分との安全離隔が確保された６．７ｍポイント位置と、上方の保安用添架ポイントである７ｍポイントの間を移動するものである。
【００４８】
スライド機構は、アーム体３０の左右側面対向位置にスライド用のガイド長孔１４を設けている。また、縦枠部１３の左右対向位置に、ボルト挿通孔１３ａを設けている。そして、アーム体３０のガイド長孔１４を貫通するように、縦枠部１３のボルト挿通孔１３ａにボルト６を貫通させ、反対側でナット７で締め付けて固定するようにしている。
【００４９】
このとき、ガイド長孔１４は、上部バンドと下部バンドのブラケット９のそれぞれの縦枠部１３に対応して、アーム体３０の長手方向に沿って２本直列に設けても良い。
【００５０】
また、上部バンド側のブラケット９の背面位置にはボルト差込孔１２ａが設けられ、これに対応すべくアーム体３０の略中央位置の前後壁面にもボルト差込孔３０ａが設けられている。
【００５１】
そして、アーム体３０をブラケット９の縦枠部１３を介して上方へスライドさせた際には、両ボルト差込孔１２ａ，３０ａ同士が合致して、後側からボルト６を挿入し、反対の表側からナット７で締め付けることで、上方にスライドしたアーム体３０をブラケット９に固定するようにしている。
【００５２】
尚、上部バンドの後側に位置する帯板１６ｂの中央部分には、足場ステップ１５が取り付けられている。
【産業上の利用可能性】
【００５３】
本発明に係るスライド式安全離隔確保装柱工法とその装置は、既存共架柱に無数に存在する配電部門の既存のバンドを使用して、通信線を固定するための配電バンドを利用した種々の配電工法、ならびに、労働安全衛生規則で定める高圧活線近接作業規制範囲に入らずに安全を確保したまま電柱上に通信線を添架できる工法として、幅広く活用できるものである。
【図面の簡単な説明】
【００５４】
【図１】縦型支持アームが、バンドの円形中心線上から横方にずれた状態で支持部に取り付けられている実施例において、アーム体を下方にスライドさせた状態を示す斜視図である。
【図２】縦型支持アームが、バンドの円形中心線上から横方にずれた状態で支持部に取り付けられている実施例において、配電バンドを分解した状態を示す斜視図である。
【図３】縦型支持アームが、バンドの円形中心線上から横方にずれた状態で支持部に取り付けられている実施例において、アーム体を上方にスライドさせた状態を示す斜視図である。
【図４】縦型支持アームが、バンドの円形中心線上から横方にずれた状態で支持部に取り付けられている実施例において、アーム体を上方にスライドさせた状態を、斜め後方から見た斜視図である。
【図５】縦型支持アームが、バンドの円形中心線上に位置した状態で支持部に取り付けられている実施例において、アーム体を下方にスライドさせた状態を示す斜視図である。
【図６】縦型支持アームが、バンドの円形中心線上に位置した状態で支持部に取り付けられている実施例において、アーム体を上方にスライドさせた状態を示す斜視図である。
【図７】縦型支持アームが、バンドの円形中心線上に位置した状態で支持部に取り付けられている実施例において、アーム体を上方にスライドさせた状態を、斜め後方から見た斜視図である。
【図８】縦型支持アームが、２個の配電バンドの支持部に取り付けられている実施例において、アーム体を上方にスライドさせた状態を示す斜視図である。
【図９】スライド式安全離隔確保装柱装置の使用例を示すもので、（ａ）はアーム体を下方にスライドさせ、留め金具にメッセンジャーワイヤーを固定している状態を示す説明図、（ｂ）はメッセンジャーワイヤーの固定後に、アーム体を上方にスライドさせた状態を示す説明図である。
【図１０】従来技術の説明図であり、（ａ）は電柱丈尺が１５ｍ以上の場合の保安通信ポイント等を示した概略図、（ｂ）は電柱丈尺が１４ｍ以下の場合の保安通信ポイント等を示した概略図、（ｃ）は工事の労働安全衛生規則で定める高圧活線近接作業規制範囲を示した概略図である。
【図１１】従来技術の説明図であり、（ａ）はＦＴＴＨ用ドロップケーブルについて、作業員の頭上近辺における作業が可能である状態を示した概略図、（ｂ）は１４ｍ共架柱に添架する場合、丸ケーブルであると作業時に作業員の頭部が安全離隔距離に入り込んでしまう状態を示した概略図である。
【符号の説明】
【００５５】
Ｐ…電柱
１…装置本体
２…バンド
２ａ，２ｂ…帯板
３…縦型支持アーム
４…支持部
５…ヒンジ部
６…ボルト
７…ナット
８…孔
９…ブラケット
９ａ…溝部
１０…ストッパー部
１１…留め金具
１２ａ，１２ｂ…ボルト差込孔
１３…縦枠部
１３ａ…ボルト挿通孔
１４…ガイド長孔
１５…足場ステップ
１６…配電バンド
１６ａ，１６ｂ…帯板
２０…突出部
３０…アーム体
３０ａ，３０ｂ…ボルト差込孔
６０…ボルト
７０…ナット
【図１】
2007330014.tif 000003
【図２】
2007330014.tif 000004
【図３】
2007330014.tif 000005
【図４】
2007330014.tif 000006
【図５】
2007330014.tif 000007
【図６】
2007330014.tif 000008
【図７】
2007330014.tif 000009
【図８】
2007330014.tif 000010
【図９】
2007330014.tif 000011
【図１０】
2007330014.tif 000012
【図１１】
2007330014.tif 000013